(57)【要約】【課題】従来、ＨＴＭＬやＣＧＩプログラムの知識が乏しくて、ＣＧＩプログラムの作成及び自らの運営するウェブサーバにＣＧＩプログラムやデータ-ベースが作動する環境を整えなければならなかったため、入力フォームを自らのインターネットコンテンツに設置してアクセスユーザから情報を得ることが困難で、インターネットコンテンツを情報提供ツールとしてのみ利用しているに過ぎないオーナーユーザが大部分だった。【解決手段】入力フォーム提供管理者の提供する入力フォームサンプルのデータにもとづく対話形式による入力フォーム作成プログラムを利用することで入力フォームを作成し、作成した入力フォームを任意のサイトに表示させて、アクセスユーザから情報を得て、得た情報は、入力フォーム提供管理者のデータベースに収納し、収納された情報を利用することによって解決する。【選択図】図１
2006163958.tif 000002
【特許請求の範囲】
【請求項１】
インターネットコンテンツ上に入力フォームを対話的に作成し、該入力フォームに入力された入力データを記憶装置に記憶する入力フォーム提供管理者の運営しているインターネットウェブサーバにおいて、ジャンルごとにまとめられた一つ以上の入力フォームから構成されている入力フォームのサンプルを収納している入力フォームサンプルデータベースを持つことを特徴とする入力フォームを生成する電子計算機プログラム。
【請求項２】
インターネットを通じてアクセスしてきた入力フォームサンプルの情報を修正して入力フォームを使用するオーナーユーザによって、相応する入力フォームサンプルを選択し、選択された入力フォームサンプルの各値が修正処理画面ですでに初期値として入力された状態で一覧表示されており、修正が必要であればその初期値に修正を加えて適切な入力フォームを対話的に作成し、修正済みの入力フォームの構成情報を収納することを特徴とする請求項１に記載の入力フォームを生成する電子計算機プログラム。
【請求項３】
オーナーユーザによって作成され入力フォームデータベースに収納されている入力フォーム構成情報にもとづいてオーナーユーザを識別するオーナーユーザＩＤと入力フォームを識別する入力フォームＩＤとその他必要な情報をＧＥＴ情報として付加した入力フォームリンクＵＲＬを形成するＨＴＭＬのソースコードを生成することを特徴とする請求項１又は２のいずれかに記載の入力フォームを生成する電子計算機プログラム。
【請求項４】
作成された入力フォームリンクＵＲＬを形成するＨＴＭＬのソースコードをオーナーユーザの必要としている任意のインターネットコンテンツのソースコード上に記載することによって、入力フォームをオーナーユーザが必要としているインターネットコンテンツ上に生成させることができることを特徴とする請求項１ないし３のいずれかに記載の入力フォームを生成する電子計算機プログラム。
【請求項５】
アクセスユーザによって、インターネットコンテンツ上に入力フォームリンクＵＲＬの形成されているリンクをクリックされることによって、オーナーユーザによって作成された入力フォームを含むインターネットコンテンツが別のブラウザ上に表示されることを特徴とする請求項１ないし４のいずれかに記載の入力フォームからデータ収集を行う電子計算機プログラム。
【請求項６】
入力フォームにアクセスユーザによって入力された入力値が入力フォーム提供管理者サイトの入力情報データベースに収納されることを特徴とする請求項１ないし５のいずれかに記載の入力フォームからデータ収集を行う電子計算機プログラム。
【請求項７】
オーナーユーザが、入力フォーム提供管理者のウェブサーバにアクセスして入力情報データベースに収納されている入力情報のデータを参照できることを特徴とする請求項１ないし６のいずれかに記載の入力フォームの入力データを参照する電子計算機プログラム。
【請求項８】
オーナーユーザが、入力フォーム提供管理者のウェブサーバにアクセスして入力情報データベースに収納されている入力情報のデータをＣＳＶ形式等のファイルとしてダウンロードできることを特徴とする請求項１ないし７のいずれかに記載の入力フォームからの収集データをダウンロードする電子計算機プログラム。
【請求項９】
オーナーユーザが入力フォーム提供管理者より提供される入力フォームによる情報収集システムサイトから、オーナーユーザの必要とする入力フォームを自由に入力フォームサンプルから選択し、選択した入力フォームサンプルの初期値を修正して必要とする入力フォームを作成し、入力フォームリンクＵＲＬを形成し、入力フォームリンクＵＲＬのソースコードを必要とするインターネットコンテンツ上に記載し、入力フォームリンクＵＲＬリンクを公開し、入力フォームリンクＵＲＬリンクがクリックされることにより入力フォームを表示させ、入力フォームに入力されたデータをデータベースに収納し、収納されたデータを閲覧でき、さらに収納されたデータをダウンロード可能とし、アクセスユーザより情報を得ることを特徴とする請求項１ないし８のいずれかに記載の入力フォームによる情報収集システム。
【発明の詳細な説明】
【技術分野】
【０００１】
本発明は、インターネットコンテンツに表示する対話的に作成した入力フォームと、生成された入力フォームに入力された情報を正確かつ安全にデータベースに収納し、インターネットコンテンツ公開者にその収納された情報を提供する入力情報収集システムに関するものである。
【背景技術】
【０００２】
従来インターネットが情報提供コミュニケーションツールとして幅広く利用されており、このインターネット上に自らが公開しているコンテンツにアクセスしてきた訪問者（以下  アクセスユーザという）から情報を得るインターネット情報収集コミュニケーションツールとするためには、該コンテンツにメールアンカーを設置してメールとして送信してもらうか、入力フォームを設置して必要な情報を入力してもらって取得する方法とがあった。
【０００３】
このメールアンカーによる情報収集は、入力するアクセスユーザによる任意の文章のために、必要な情報の欠落や不要な情報が記述されており、また入力情報が構造化されていないために、商業的なあるいは統計的な情報収集の方法としては不適当であった。
【０００４】
インターネットコンテンツによるアクセスユーザから情報を、過不足なくまた構造化した情報として情報処理に利用できる形で収集するためには入力フォームを設置する方法がある。しかし、従来のこの方法を利用するには、インターネットコンテンツ公開者（以下  オーナーユーザという）が以下に述べる多くの課題を解決しなければならなかった。
【０００５】
インターネットコンテンツをＨＴＭＬ（Ｈｙｐｅｒ  Ｔｅｘｔ  Ｍａｒｋｕｐ  Ｌａｎｇｕａｇｅ）の言語でソースコードを記述したり、インターネットコンテンツ上に設置された入力フォームにアクセスユーザによって入力された情報を取得するためにＣＧＩ（Ｃｏｍｍｏｎ  Ｇａｔｅｗａｙ  Ｉｎｔｅｒｆａｃｅ）プログラムのソースコードを作成したり、ＣＧＩプログラムを作成するプログラム言語としてＰｅｒｌ、Ｊａｖａ（登録商標）、ＰＨＰなどを利用し、またＡＳＰ（Ａｃｔｉｖｅ  Ｓｅｒｖｅｒ  Ｐａｇｅｓ）技術のもとにコーディングされたＣＧＩプログラムなども利用されているが、上記プログラムの作成に利用したプログラム言語とその使用した言語のバージョンなどが作動可能なウェブサーバを設置しなければならなかった。ＣＧＩプログラムによって収集された入力情報は、メールとしてオーナーユーザに送信される方法と、ウェブサーバ側に入力された情報をファイルとして収納する方法とデータベースサーバを設置してデータベースに収納する方法があった。メールによる情報の取得は、過不足なく構造された形で取得することができるが、表計算ソフト（たとえばＭｉｃｒｏｓｏｆｔ  ｅｘｃｅｌ（登録商標））などのアプリケーションソフトでデータ処理する構造になっていない。表計算ソフトで上記情報を利用するためには、オーナーユーザによってプログラムを作成して、上記メール送信でえた入力情報を表計算ソフトで利用可能なデータ構造に変換するする必要があった。また、入力情報をファイルとして収納する方法はファイルを操作するためにＣＧＩプログラムの機能を追加させる必要があり、また、データベースに収納するには、データベースを操作するためにＣＧＩプログラムの機能をアップさせ、さらにデータベースサーバを追加設置する必要があった。
【０００６】
上記のようにアクセスユーザから入力フォームを介してデータを取得するためには、数多くの課題を解決する必要があるが、すでに多くのウェブサイトで、かなりの費用をかけてウェブサーバ環境を整えプログラマーの多大な労力の上にＣＧＩプログラムを作成してこのことが実現されているが、その他の大多数のウェブサイトが、アクセスユーザと双方向コミュニケーションツールとしてインターネットコンテンツを活用する意図がありながら、前述の課題を解決できずに自らが公開するウェブサイトを不本意ながら情報提供コミュニケーションツールとしてのみ機能させるに甘んじているのが現状であった。
【０００７】
このような従来の状況下で、インターネットコンテンツを一方的な情報提供型ツールから情報収集型ツールとして機能させる方法のひとつとして、対話形式による入力フォームの自動生成および入力データの収集システムが入力フォームの利用形態のひとつであるアンケート調査方法として数多く提案されていた。
【０００８】
アンケート設問設定画面にて１問ずつその必要条件を判断して設定して、必要とされる数の入力フォームの設問を行い、アンケート画面を対話的に作成しＵＲＬを生成する。そしてアンケート入力フォームを対話的に作成するサービスを提供した入力フォーム提供管理者のサイトにて、アンケート画面を公開して、そのアンケート画面にてアクセスユーザが回答し、回答されたデータを入力フォーム提供管理者のデータベースに収納し、オーナーユーザは収納されたデータのグラフ化を含めて閲覧でき、ファイルとしても取得できるというものがあった（例えば、特許文献１参照）。
【０００９】
アンケート入力フォームを対話的に作成する際に入力フォームの新規作成、修正を容易に行う機能を付加した方法があった（例えば、特許文献２参照）。
【００１０】
会員制を実施しているサイトにおいて会員データの中から会員属性によってアンケート回答者を検索・抽出をしたうえでアンケート回答募集メールの送付し、アンケート実施し、かつ、アンケート回答者にポイントを付与するというものがあった（例えば、特許文献３参照）。
【００１１】
アンケート調査事業については代理店を通じて行うというものがあった（例えば、特許文献４参照）。
【００１２】
入力フォームという機能を履歴書作成という機能に特化して、また、対話的入力フォーム作成作業を、履歴書作成に必要なフォームを予め作成して置き、それを部品としてライブラリー化してユーザーに提供し、ユーザーはそのライブラリー部品を一つひとつ組み合せて履歴書フォームを作成して、完成した履歴書フォームに履歴情報を入力して、履歴書作成に役立てるというシステムが提案されていた（例えば、特許文献５参照）。
【特許文献１】特開平１１-８５７２７
【特許文献２】特開２００１−２７３３８２
【特許文献３】特開２００２−２４４７４
【特許文献４】特開２００２−１６９９４４
【特許文献５】特開２００３−１５７２４５
【発明の開示】
【発明が解決しようとする課題】
【００１３】
従来、インターネットコンテンツ上に入力フォームを設置してアクセスユーザから情報を得るには、ＨＴＭＬやＣＧＩプログラムの知識を必要とすることからオーナーユーザに対して上記のように数多くの支援のシステムが提案されていた。しかし、本来入力フォームの利用は、インターネットコンテンツの画面を利用してアクセスユーザからの情報取得に利用される多用途なツールであるにもかかわらず、入力フォームの活用がアンケート調査あるいは極一部に履歴書作成という極めて狭い利用範囲しか使用されていないという不便さがあった。
【００１４】
入力フォームとＣＧＩプログラムとの作成をオーナーユーザと入力フォーム設置管理者のウェブサーバとの間で対話的に作業を行い、自動作成されるが、その内容は、入力フォーム作成の対話画面において一つの入力フォームを作成する画面を表示させて、その入力フォームに必要な内容を取捨選択あるいは必要事項を入力して作成すべき入力フォームを作成し、必要とする入力フォームの数だけその作業を繰返し行って作成していくものである。作成すべき入力フォームを想定しながら必要事項を取捨選択あるいは入力しながらのこのような入力フォームの作成作業は、すでにＨＴＭＬあるいはＣＧＩプログラムの知識を有する人にとっては、それらのプログラムコードをソースコードから書いていく手間からは開放され、便利で有効なツールとして利用活用できるが、ＨＴＭＬやＣＧＩプログラムの知識の乏しい人にとっては、従来の対話的に入力フォームを作成するツールでは、利用するには多くの困難を伴った。また、アクセスユーザと入力フォーム提供管理者の間に広告代理店を置きその手助けを得てＨＴＭＬやＣＧＩプログラムによる入力フォーム作成作業の困難性を軽減しようとするケースもあった。
【００１５】
オーナーユーザが対話的に作成した入力フォームを含むインターネットコンテンツを、入力フォーム提供管理者の運営しているサイトの一部としてしか公開できない仕組みになっていた。このような入力フォームを含むインターネットコンテンツを公開するサイトを限定するシステムは、多用途に利用できる入力フォームの機能を一部に限定した機能としてしか利用できないという問題があり、アンケート調査のために入力フォームを公開する場合、数多くのアクセスのあるサイトにアンケート調査画面を公開したり、また、多くの会員を有するサイトで会員の属性によってアンケート者を絞り込む機能を有する入力フォーム提供管理者であった場合、アンケート回答者をたとえば男女とか年齢とかで選抜してアンケートを収集するためにその機能を有するサイトで公開したりすることには意味があるが、オーナーユーザのサイトでショッピングあるいはプレゼント企画を行っていた場合、購買申込入力フォームやプレゼント申込入力フォームが入力フォーム提供管理者のサイトに表示されてもアクセスユーザがオーナーユーザのサイトにアクセスした場合、購買申込入力フォームやプレゼント申込入力フォームの存在を認識できない。
【課題を解決するための手段】
【００１６】
本発明はこれらの欠点をなくするために、入力フォームの利用をアンケート調査という狭い利用に限定することなく他の用途でも自由に利用することができ、ＨＴＭＬやＣＧＩプログラムの知識に乏しい人であっても、サンプル入力フォームを提供し、該サンプル入力フォームの構成情報を修正することによってＣＧＩプログラムを含む入力フォームの作成を容易にし、作成された入力フォームを含むＵＲＬを入力フォーム提供管理者のサイトの一部としてしか公開できない制約をなくし、オーナーユーザ自らが主催するサイトでも公開でき、また、必要とするサイトでも公開が可能とする。
【００１７】
インターネット回線によって結ばれているインターネットコンテンツ提供管理者サイトにあって、表示手段と入力手段と演算手段と各種記憶装置とウェブサーバ及びメールサーバとを備えている入力フォーム提供管理者のサイトを設ける。そのサイト内の入力フォームサンプルデータベースに、通常のインターネットコンテンツ上で利用されている入力フォームの利用ニーズを分析した上で、入力フォームサンプルをジャンルごとにまとめて多数作成して収納しておく。
【００１８】
表示手段、入力手段、演算手段及びウェブサーバを備えているオーナーユーザが、インターネットを介して入力フォーム提供管理者のサイトにアクセスして、ジャンルごとに収納してある複数の入力フォームサンプルの中から必要としているサンプルに最も近い入力フォームサンプルを探し出し、該入力フォームサンプルを構成する入力フォーム構成情報を修正することによって必要としている入力フォームを作成する。つまり、修正画面において選択した入力フォームサンプルを構成する各データが修正画面の初期値として入力された状態で表示されるので、その初期値に必要があれば修正を加え、修正した入力フォームを作成して、確認画面で修正した入力フォームを確認する。これらの作業を希望する入力フォームができるまで繰り返し行うことによってオーナーユーザが必要とする入力フォームを作成することができ、修正した入力フォームの入力フォーム構成情報を入力フォームデータベースに収納することができる。
【００１９】
オーナーユーザは、インターネットを通じて入力フォーム提供管理者のウェブサイトにアクセスして、オーナーユーザによって作成され、入力フォームデータベースに収納されている入力フォーム構成情報を呼び出し、入力フォーム構成情報にもとづいてオーナーユーザを識別するオーナーユーザＩＤ、入力フォームを識別する入力フォームＩＤとその他必要な情報をＧＥＴ情報として付加した入力フォームリンクＵＲＬを形成するＨＴＭＬのソースコードを生成する。
【００２０】
オーナーユーザにより作成された入力フォームリンクＵＲＬを形成するＨＴＭＬのソースコードを任意のインターネットコンテンツのソースコード上に記載することによって入力フォームをオーナーユーザが必要としているインターネットコンテンツ上に生成させることができる。
【００２１】
オーナーユーザによって作成された入力フォームリンクＵＲＬを形成するＨＴＭＬのソースコードを記載した該入力フォームリンクＵＲＬの生成されているインターネットコンテンツ上のリンクを、インターネットを通じてアクセスしてきたアクセスユーザによってクリックされることによって、入力フォームを含むインターネットコンテンツの生成のためのリクエストが入力フォーム提供管理者ウェブサーバにおくられる。リクエストの含まれているオーナーユーザＩＤと入力フォームＩＤとによって、入力フォームデータベースから該当する入力フォーム構成情報を抽出し、オーナーユーザによって作成された入力フォームのＵＲＬソースコードが生成され、アクセスユーザにたいしてレスポンスされることにより、アクセスユーザの表示装置にオーナーユーザによって作成された入力フォームを含むインターネットコンテンツが別のブラウザ上に表示される。
【００２２】
アクセスユーザの別ブラウザに表示されている入力フォームにアクセスユーザによって入力された入力値が入力フォーム提供管理者サイトの入力情報データベースに収納される。
【００２３】
オーナーユーザが、入力フォーム提供管理者のウェブサーバにアクセスして入力情報データベースに収納されているアクセスユーザの入力情報のデータを数値あるいは文字列あるいはグラフ化して、オーナーユーザは参照することができる。
【００２４】
また、オーナーユーザが、入力フォーム提供管理者のウェブサーバにアクセスして入力情報データベースに収納されているアクセスユーザの入力情報のデータをＣＳＶ形式のファイルとして、インターネットを通じて、オーナーユーザの演算装置にダウンロードが可能である。
【発明の効果】
【００２５】
オーナーユーザの入力フォームの利用形態で、アンケート調査やごく一部のケースとして履歴書作成というニーズにしか対応できていなかった従来の入力フォームによる情報収集サービスは、本発明の入力フォームサンプルデータベースにオーナーユーザの多方面のニーズを踏まえて作成されてジャンルごとに収納されている入力フォームサンプルの中から入力フォームサンプルプレビュー画面で、ＨＴＭＬとして表示させて内容を確認して最適なサンプルを探すことができるので、入力フォームの利用形態をアンケート調査や履歴書作成という狭い利用に限定することなく購買申込、プレゼント申込、メールマガジン申込、会員申込、試験問題作成、サイト管理者へのメッセージなどその他多くのケースにオーナーユーザが望む情報取得コミュニケーションツールとして自在に利用することができる。
【００２６】
オーナーユーザは、入力フォームサンプルの中から必要なサンプルを選択することによって、最終的に選択された入力フォームサンプルを構成している複数の入力フォームの構成情報の各値が入力フォーム修正画面の初期値として各入力設定フォームのそれぞれに入力された状態の一覧表示で表示されるので、該初期値を変更して入力フォーム修正プレビュー画面と入力フォーム修正画面にて、変更した値がＨＴＭＬとして入力フォームがどのように変化したかを比較、確認できるので、変更と確認作業を繰り返すことにより、オーナーユーザは、自分にＨＴＭＬの知識がなくとも容易に必要な入力フォームを作成することができる。
【００２７】
オーナーユーザによって入力フォームの作成が終了した時点で、オーナーユーザの公開する入力フォームを含むインターネットコンテンツ上からアクセスユーザによって入力された値を入力情報データベースに収納する一連の作業を司っているＣＧＩプログラムを制御するための情報が、エラーチェックやセキュリティチェックを制御する情報を含めて、入力フォーム構成情報とともに作成されて入力フォーム情報データベースに同時に収納される。オーナーユーザは、自分が必要とする入力フォームによるアクセスユーザによる入力値の取得にかかわるＣＧＩプログラムの知識が全くなくとも容易に必要なデータを得ることができる。
【００２８】
入力フォームリンクＵＲＬ形成過程で、オーナーユーザを識別できるＩＤと作成した入力フォームを識別するＩＤとをＧＥＴ情報として付加した入力フォームリンクＵＲＬのソースコードが生成されるので、オーナーユーザの公開するインターネットコンテンツ上にこの入力フォームリンクＵＲＬのソースコードを記載すれば、入力フォームリンクが生成され、オーナーユーザの望むインターネットコンテンツ上に容易に入力フォームリンクＵＲＬを設置することができる。
【００２９】
この入力フォームリンクＵＲＬの記載されたインターネットコンテンツにアクセスユーザがアクセスし、入力フォームリンクＵＲＬリンクをクリックすることにより、入力フォームが別ブラウザに表示され、その表示された入力フォームにアクセスユーザによって入力された入力値を、入力フォーム提供管理者の管理する入力情報データベースに収納し蓄積することができる。
【発明を実施するための最良の形態】
【００３０】
本発明の入力フォームによる情報収集システムは、インターネット通信回線６によってお互いに接続されているオーナーユーザ１、入力フォーム提供管理者７、アクセスユーザ１７及びインターネットコンテンツ提供者２１によって構成される（図１）。
【００３１】
本サービスを利用するためにオーナーユーザ１となることを希望するアクセスユーザ１７は、入力フォーム提供管理者７が運営する入力フォーム提供管理者ウェブサーバ１１にアクセスし、入力フォーム提供管理者７との間に本サービスを利用するための契約項目を入力し、本サービスを利用できるオーナーユーザ１の資格を取得する。入力フォーム提供管理者７は、応諾したオーナーユーザ１に対してオーナーユーザＩＤ３０及び入力フォームＩＤを発行し、この際、該入力フォーム提供管理者７の提供するサービスを利用する際の利用条件を設定する。たとえば、アクセスユーザ１７によって入力された値をメールとしてオーナーユーザ１に送信するかどうかなどを設定する（図１、図２、図３）。
【００３２】
オーナーユーザ１は、入力フォーム提供管理者７運営する入力フォーム提供管理者ウェブサーバ１１に収納されている入力フォーム作成プログラムにアクセスし、オーナーユーザＩＤ３０を入力して、認証を得て利用を開始する。
【００３３】
オーナーユーザ１が認証を得ると、作成した入力フォームをオーナーサイトのオーナーユーザウェブサーバ５で公開するか、あるいは入力フォーム提供管理者７の入力フォーム提供管理者ウェブサーバ１１で公開するか、あるいはインターネットコンテンツ提供者２１のインターネットコンテンツ提供者ウェブサーバ２５で公開するかを公開サイト選択３２画面で選択する。
【００３４】
公開サイト選択３２画面においてオーナーユーザサイトで公開３３を選択した場合、入力フォーム提供管理者７の運営する入力フォーム提供管理者入力フォームサンプルデータベース１５には、オーナーユーザ１が必要とする入力フォームサンプルを、オーナーユーザ１の入力フォームのニーズを調査して予めジャンルごとに多数の入力フォームサンプルを作成しており、オーナーユーザ１は、ジャンルごとにまとめられているサンプル入力フォーム一覧表３４画面に表示されている入力フォームサンプルのリンクをクリックすると、入力フォームサンプルプレビュー３５画面でそのサンプルのＨＴＭＬ表示形式で選択した入力フォーム（一つまたは複数の入力フォームからなっている）を表示させて確認する。この選択とプレビューとを繰り返すことでサンプル入力フォーム一覧表３４画面の中からオーナーユーザ１が必要としている入力フォームを作成するのに最も相応した入力フォームサンプルを探し選択する。
【００３５】
選択された入力フォームサンプルのデータは、入力フォーム修正３６画面に送られる。入力フォーム修正３６では、選択された入力フォームサンプルの質問形式や質問内容や条件などのデータが、それぞれの修正用入力フォームの初期値としてすでに入力された状態で表示される。オーナーユーザ１は、入力フォーム修正３６画面にそれぞれの修正用入力フォームの初期値として入力されている入力フォーム構成情報の各値と入力フォームサンプルプレビュー３５画面、入力フォーム修正プレビュー３７画面にてＨＴＭＬで表現されている入力フォームの表現とを相互に比較、確認することによって、入力フォーム修正３６画面のどの入力フォームにどのような値を入力すればよいのかが容易に知ることができ、それぞれの修正用入力フォームの初期値として入力されている各値を変更することによって容易に修正された入力フォームを作成できる。再度修正を行うときには、入力フォーム修正３６画面には修正値が表示されている。
【００３６】
オーナーユーザ１は、入力フォーム修正３６画面に表示されているそれぞれの修正用入力フォームに入力されている入力フォーム構成情報の各値を変更して、入力フォーム修正プレビュー３７画面にてＨＴＭＬ入力フォームとして確認し、自らが望む入力フォームを作成するまでこの作業を繰返し行う。
【００３７】
オーナーユーザ１は、入力フォーム作成作業の中途で、入力フォームサンプル再選択３８で入力フォームサンプル一覧表３４に戻って、入力フォームサンプルを新しく選択し直し、入力フォーム修正３６及び入力フォーム修正プレビュー３７の作業を繰り返し行うことで、希望する入力フォームを再作成することができる。
【００３８】
オーナーユーザ１が作成した入力フォームが希望した入力フォームとして完成した場合には、入力フォーム構成情報が入力フォーム提供管理者入力フォームデータベース１６に入力フォームデータベース収納３９が行われる。
【００３９】
入力フォーム作成プログラムは、入力フォーム提供管理者入力フォームデータベース１６に収納された入力フォーム構成情報に基づき、オーナーユーザ１を識別できるオーナーユーザＩＤ３０と作成した入力フォームを識別する入力フォームＩＤをＧＥＴ情報として付加したＵＲＬソースコードを、入力フォームリンクＵＲＬ形成４０画面のテキストエリア入力フォームに生成する。この入力フォームリンクＵＲＬのソースコードは、オーナーユーザ１のインターネットコンテンツ上では、入力フォームリンクＵＲＬのリンクを生成する。この場合、セキュリティの関係でオーナーユーザＩＤ３０と入力フォームＩＤは、システム上で実際に使用している文字列を使用せずに、それぞれ一意に対応するユニークな文字列を使用して、ＧＥＴ情報の形でリクエストされてきたそれぞれのＩＤの文字列を実際のオーナーユーザＩＤ３０と入力フォームＩＤとにシステム上で変換作業を行って使用することが望ましい（図２、図３）。
【００４０】
オーナーユーザ１は、入力フォームリンクＵＲＬ形成４０で生成された入力フォームリンクＵＲＬのＵＲＬソースコードコピー４１をした後に、公開するインターネットコンテンツの中のしかるべきところにＵＲＬソースコードペースト４２を行い、自らのインターネットコンテンツを完成させる。オーナーユーザ１は自らが管理しているオーナーユーザウェブサーバ５（レンタルサーバでもよい）にＦＴＰを行いインターネットコンテンツとして公開する。
【００４１】
公開サイト選択３２において入力フォーム提供管理者サイトで公開４３を選択した場合、オーナーユーザ１によって作成した入力フォームを含むインターネットコンテンツとして一つの独立したＵＲＬとして機能するので、それに必要な情報、例えば挨拶文をＵＲＬ必要事項入力４４にて入力する。これらのＵＲＬ必要事項入力４４で入力された値は、入力フォームサンプルプレビュー３５画面および入力フォーム修正プレビュー３７画面にて確認でき、入力フォーム修正３６画面にて修正変更できる。
【００４２】
オーナーユーザ１によって作成された入力フォームを含むインターネットコンテンツにアクセスユーザ１７によって入力される収集数、あるいは入力フォームを含むインターネットコンテンツを入力フォーム提供管理者７のサイトで公開する公開開始日ならびに終了日、あるいは入力するアクセスユーザ１７を性別や年齢などの属性によって選抜したい場合は、その抽出条件の情報をＵＲＬ必要事項入力４４にて入力、登録する。
【００４３】
オーナーユーザ１による入力フォーム作成は、サンプル入力フォーム一覧表３４画面から入力フォームサンプルの選択、入力フォームサンプルプレビュー３５画面での確認、入力フォーム修正３６画面での修正、入力フォーム修正プレビュー３７画面での確認、必要に応じて入力フォームサンプル再選択３８、入力フォームデータベース収納３９、入力フォームリンクＵＲＬ形成４０、ＵＲＬソースコードコピー４１、ＵＲＬソースコードペースト４２を行い、インターネットコンテンツとして一つの独立したＵＲＬとして機能するための情報も同時に入力フォーム提供管理者入力フォームデータベース１６に入力フォームデータベース収納３９を行う。
【００４４】
オーナーユーザ１によって作成された入力フォームリンクＵＲＬを含むインターネットコンテンツの公開は、上記ＵＲＬ必要事項入力４４にて入力された条件によって自動的に生成され公開される。たとえば、アクセスユーザ１７の入力数による収集数の場合は、公開日より予定数に達するまでの期間に公開される。また、公開期間の条件の場合は、公開開始日から公開終了日までの期間公開される。さらに、上記条件に加えてアクセスユーザ１７の属性によって入力するアクセスユーザ１７の対象を絞り込みたい場合は、すでに入力フォーム提供管理者会員情報データベース１３に収納されているアクセスユーザ１７の属性を対象に検索を行い該当するアクセスユーザ１７を選び出す。この場合、選抜されたアクセスユーザ１７に入力フォームリンクＵＲＬを含んだメールを送付して公開する方法と、入力フォーム提供管理者会員情報データベース１３に登録されているアクセスユーザ１７が入力フォーム提供管理者７のサイトにアクセスし認証を受ける際に、入力フォーム提供管理者会員情報データベース１３に収納されているアクセスユーザ１７の属性情報を検索し、オーナーユーザ１が必要しているＵＲＬ必要事項入力４４で設定した条件に適うアクセスユーザ１７に公開する方法とがある。
【００４５】
公開サイト選択３２画面においてインターネットコンテンツ提供者サイトで公開４５を選択した場合、オーナーユーザ１による入力フォーム作成は、サンプル入力フォーム一覧表３４画面から入力フォームサンプルの選択、入力フォームサンプルプレビュー３５画面での確認、入力フォーム修正３６画面での修正、入力フォーム修正プレビュー３７画面での確認、必要に応じて入力フォームサンプル再選択３８、入力フォームデータベース収納３９、入力フォームリンクＵＲＬ形成４０、ＵＲＬソースコードコピー４１、ＵＲＬソースコードペースト４２を行う。
【００４６】
個々のインターネットコンテンツ提供者２１のサイトでは、オーナーユーザ１が作成した入力フォームリンクＵＲＬを含む独立した画面を形成するＨＴＭＬソースコードをどちらで制作するかなどそれぞれ条件が異なり、また、個々のインターネットコンテンツ提供者２１のサイトの特徴が異なるので、これらの条件を加味して掲載契約４６を行う。
【００４７】
インターネットコンテンツ提供者２１のサイトで、もし、インターネットコンテンツ提供者会員情報データベース２７の機能を有する場合は、入力フォーム提供管理者サイトでの公開４３と同様に、インターネットコンテンツ提供者２１の保有する会員属性によってアクセスユーザ１７を選抜できる。この場合は、入力フォームリンクＵＲＬ形成４０で形成されたＵＲＬソースコードに加えて必要な会員情報をＧＥＴ情報に付加した入力フォームリンクＵＲＬを生成してインターネットコンテンツ提供者２１のインターネットコンテンツ上に表示させ、また、メールの場合は、必要な会員情報をＧＥＴ情報に付加した入力フォームリンクＵＲＬを記載したメールを選抜した会員に送付されることによってオーナーユーザ１の作成した入力フォームリンクＵＲＬを含むインターネットコンテンツを公開できる。
【００４８】
インターネットコンテンツ提供者２１が、多数のアクセス数を実現できるサイトであれば、入力フォームリンクＵＲＬ形成４０で形成されたＵＲＬソースコードをインターネットコンテンツ提供者２１のインターネットコンテンツ上のソースコードのしかるべきところに記載されることによってオーナーユーザ１の作成した入力フォームリンクＵＲＬを含むインターネットコンテンツを公開できる。
【００４９】
オーナーユーザ１が作成し、公開したインターネットコンテンツに、アクセスユーザ１７がアクセスして、インターネットコンテンツに記載されている入力フォームリンクＵＲＬリンクをクリックすると、入力フォーム提供管理者７の入力フォーム提供管理者ウェブサーバ１１へリクエストされ、入力データ収納プログラムが起動する。入力データ収納プログラムは、オーナーユーザ１によって作成されている入力フォームあるいは入力フォームを含むインターネットコンテンツのＨＴＭＬソースコードを生成し、アクセスユーザ１７にレスポンスする。このレスポンスを受信してアクセスユーザ１７のアクセスユーザ演算装置１９にインストールされているブラウザソフトを新たに起動して、オーナーユーザ１、インターネットコンテンツ提供者２１、入力フォーム提供管理者７あるいはインターネットコンテンツのサイトに直近にアクセスした入力フォームリンクＵＲＬリンクが表示されているインターネットコンテンツの画面とは別画面でアクセスユーザ１７のアクセスユーザ表示装置１８にオーナーユーザ１の完成させた入力フォームを含むインターネットコンテンツの入力フォーム表示４９を行う（図４）。
【００５０】
アクセスユーザ１７のアクセスユーザ表示装置１８に表示されている入力フォームにしかるべき値がアクセスユーザ入力装置２０より入力されると入力値確認５０画面にその値が送られその内容を確認できる。確認された値でよい場合は、その値をデータベース収納５３の処理を行い、入力データは入力フォーム提供管理者入力情報データベース１４に収納される。入力値に変更が必要な場合には修正用入力フォーム表示５１画面で修正値を修正用入力フォームで入力し、修正値確認５２画面に送られ、その内容を確認する。入力値が確認された値でよくなるまで上記作業を行い、確認された値でよい場合は、その値をデータベース収納５３の処理を行い入力データは入力フォーム提供管理者入力情報データベース１４に収納される。オーナーユーザＩＤ３０取得でメール送信を必要と設定していた場合は入力フォーム提供管理者メールサーバ１２によってアクセスユーザ１７によって入力されたデータがオーナーユーザ１にメールとして同時に送信される。この間の作業の中でアクセスユーザ１７によって入力フォームに入力された値は、入力フォーム提供管理者７の入力フォーム提供管理者ウェブサーバ１１で常にセキュリティチェックとエラーチェックが行われ入力値確認５０画面及び修正値確認５２画面に送信される。また、そのセキュリティチェックとエラーチェックが行われた値が入力フォーム提供管理者入力情報データベース１４に収納される。
【００５１】
オーナーユーザ１が、入力フォーム提供管理者入力情報データベース１４に収納蓄積されているアクセスユーザ１７によって入力された入力情報を閲覧またはファイルとしてダウンロードしたい場合は、オーナーユーザＩＤ３０での認証を得た後、入力フォーム提供管理者７のサイトの入力データ表示プログラムにアクセスする。入力データ表示プログラムは、画面表示を行うかファイルのダウンロードを行うかの作業選択５４画面を表示する（図５）。
【００５２】
作業選択５４画面で画面表示の選択５５が選択された場合は、表示条件入力５６画面にて表示条件を入力して画面表示５７させる。データ入力数が多量の場合は、ある条件を限定して表示させればよい。たとえば、ある特定の期間のデータの表示とかある項目を選択して表示させるとか、あるいはその両方の条件を設定して表示させる。また、入力フォームの形式でラジオボタンやチェックボックスあるいはプルダウンメニューで入力されたデータは、統計処理可能なデータとして入力フォーム提供管理者入力情報データベース１４収納されているので、統計処理した表示の条件を設定して表示させる。
【００５３】
また、ファイルのダウンロード選択５８が選択された場合は、ダウンロードファイル作成条件入力５９画面にてファイルのダウンロードの条件を入力し、ファイルのダウンロード６０を行う。ファイル形式はＣＳＶ形式で行うが、入力フォーム提供管理者入力情報データベース１４収納されている入力データの中に半角コンマが混入されている恐れがあるので、データの区切りをタブ記号に設定して行う方が安全である。
【００５４】
オーナーユーザ１は、ダウンロードしたファイルをたとえばＭｉｃｒｏｓｏｆｔ  ｅｘｃｅｌ（登録商標）などの表計算ソフトのデータとして抽出することができる。また、一般の商用アプリケーションソフトで利用できるために、抽出したＣＳＶファイルを並べ変えて運用することができる。
【００５５】
これまでは入力フォーム修正３６画面の操作メニューに修正作業だけがあり、入力フォームサンプルの初期値に設定してある項目のデータの修正作業だけを行えるようにしていたが、さらに上記の機能に加えて、新規入力フォームの挿入、入力フォームの削除、入力フォームの変更（例えば、ラジオボタンからチェックボックスへの変更）、入力フォームの並び順序の変更などの機能を追加することによってＨＴＭＬやＣＧＩプログラムをあまり知らないオーナーユーザ１からよく知っているオーナーユーザ１まで簡単に高度な入力フォームを作成できる。
【実施例１】
【００５６】
従業員約９０人の製造業者において、社内ＬＡＮが構築されており、メインサーバと各個人がパーソナルコンピュータを有している。メインサーバに設置してあるデータベースには、種々の入力フォームが作成され入力フォームサンプルとして保存されているが、社内アンケートにより従業員の意識調査を行う場合、その担当責任者がデータベースより必要な入力フォームに近い入力フォームサンプルを自分のパーソナルコンピュータに入力フォームサンプルの中から取り込み、質問事項３０件の意識調査用アンケート入力フォームを作成し、作成した入力フォーム構成情報をデータベースに収納し、入力フォームリンクＵＲＬを形成するＵＲＬソースコードを生成させた。
【００５７】
担当責任者は、作成した入力フォームリンクＵＲＬを形成するＵＲＬソースコードを記載したメールを期限付きで全従業員に配信し、各従業員は該メールに記載されている入力フォームリンクＵＲＬリンクをクリックし、該意識調査用アンケート入力フォームを表示させ、入力を行い、メインサーバに送信、データベースに保存した。
【００５８】
担当責任者は、回答期限経過後、データベースよりこれらのデータを抽出し、ＣＳＶファイルを作成し、Ｍｉｃｒｏｓｏｆｔ  ｅｘｃｅｌ（登録商標）に取り込み、容易にレーダーチャート及びポートフォリオを作成し、このことにより従業員の意識を把握、分析でき、経営者に報告することにより経営上に反映された。
【実施例２】
【００５９】
前述の製造業者において、苦情処理担当責任者は、１年間の苦情処理の分析を行うため、メインサーバより必要な入力フォームに近い入力フォームサンプルを自分のパーソナルコンピュータに取り込み、必要とする入力フォームに修正し、苦情処理入力フォームを作成した。この作成された入力フォームリンクＵＲＬのクレーム受付リンクを苦情処理の担当者の作業メニューに加えて、苦情が寄せられたときいつでもクレーム受付リンクをクリックすることにより苦情処理入力フォームを表示させることができるようにした。
【００６０】
各部門の苦情処理担当者が、苦情が寄せられるごとに苦情処理入力フォームを表示させ、苦情データを苦情処理入力フォームに入力し、データベースに保存した。１年間の入力が終了した時点で、苦情処理担当責任者は、これら１年分の苦情データをデータベースより、ＣＳＶファイルとして取出し、Ｍｉｃｒｏｓｏｆｔ  ｅｘｃｅｌ（登録商標）に取りこみ、部門別、要因別等に分析し、ＡＢＣ分析を行って、クレームの主要因を明確にすることができ、その分析結果に基づいて諸々の再発防止策を講ずることができた。
【産業上の利用可能性】
【００６１】
オーナーユーザ１のオーナーユーザウェブサーバ５に、ＣＧＩ動作環境とデータベースが設置してあれば、上記作成した入力フォーム作成プログラム（図２、図３）と入力データ収納プログラム（図４）と入力データ表示プログラム（図５）とをオーナーユーザ１のオーナーユーザウェブサーバ５にインストールすることによって簡単に入力フォームを含むインターネットコンテンツを作成し、公開して、その入力フォームに入力されたアクセスユーザ１７からのデータをデータベースに収納して、閲覧活用することができる。
【００６２】
また、オーナーユーザ１とインターネットコンテンツ提供者２１との掲載契約４６の作業を、入力フォーム提供管理者７のサイトの機能に採り入れて、かつ、インターネットコンテンツ提供者２１のＩＤを発生させて入力フォームリンクＵＲＬのＧＥＴ情報に追加させて運用すれば、どのインターネットコンテンツ提供者２１のウェブサイトからアクセスユーザ１７の入力データが送られてきたかが補足できるので、インターネットコンテンツ提供管理者ＩＤをアクセスユーザ１７から入力された情報とともに、入力フォーム提供管理者入力情報データベース１４収納する。このことにより、今までアフリエイトプログラムを利用するには、オーナーユーザ１のオーナーユーザウェブサーバ５環境に、ＣＧＩ動作環境とデータベースあるいはファイル操作機能が備わっていなければ利用できなかったが、オーナーユーザ１の保有するオーナーユーザウェブサーバ５環境にＣＧＩ動作環境とデータベースあるいはファイル操作機能が備わってなくても、アフリエイトプログラムを利用することが可能となる。
【図面の簡単な説明】
【００６３】
【図１】本システムの構成者図
【図２】入力フォーム作成フローチャート（１／２）
【図３】入力フォーム作成フローチャート（２／２）
【図４】入力データ収納フローチャート
【図５】入力データ表示フローチャート
【符号の説明】
【００６４】
１    オーナーユーザ
２    オーナーユーザ表示装置
３    オーナーユーザ演算装置
４    オーナーユーザ入力装置
５    オーナーユーザウェブサーバ
６    インターネット通信回線
７    入力フォーム提供管理者
８    入力フォーム提供管理者表示装置
９    入力フォーム提供管理者演算装置
１０    入力フォーム提供管理者入力装置
１１    入力フォーム提供管理者ウェブサーバ
１２    入力フォーム提供管理者メールサーバ
１３    入力フォーム提供管理者会員情報データベース
１４    入力フォーム提供管理者入力情報データベース
１５    入力フォーム提供管理者入力フォームサンプルデータベース
１６    入力フォーム提供管理者入力フォームデータベース
１７    アクセスユーザ
１８    アクセスユーザ表示装置
１９    アクセスユーザ演算装置
２０    アクセスユーザ入力装置
２１    インターネットコンテンツ提供者
２２    インターネットコンテンツ提供者表示装置
２３    インターネットコンテンツ提供者演算装置
２４    インターネットコンテンツ提供者入力装置
２５    インターネットコンテンツ提供者ウェブサーバ
２６    インターネットコンテンツ提供者メールサーバ
２７    インターネットコンテンツ提供者会員情報データベース
２８    インターネットコンテンツ提供者入力情報データベース
２９    オーナーユーザＩＤ確認
３０    オーナーユーザＩＤ
３１    オーナーユーザＩＤ入力
３２    公開サイト選択
３３    オーナーユーザサイトで公開
３４    サンプル入力フォーム一覧表
３５    入力フォームサンプルプレビュー
３６    入力フォーム修正
３７    入力フォーム修正プレビュー
３８    入力フォームサンプル再選択
３９    入力フォームデータベース収納
４０    入力フォームリンクＵＲＬ形成
４１    ＵＲＬソースコードコピー
４２    ＵＲＬソースコードペースト
４３    入力フォーム提供管理者サイトで公開
４４    ＵＲＬ必要事項入力
４５    インターネットコンテンツ提供者サイトで公開
４６    掲載契約
４７    入力フォームリンクＵＲＬを含むインターネットコンテンツの作成
４８    インターネットコンテンツ公開
４９    入力フォーム表示
５０    入力値確認
５１    修正用入力フォーム表示
５２    修正値確認
５３    データベース収納
５４    作業選択
５５    画面表示の選択
５６    表示条件入力
５７    画面表示
５８    ファイルのダウンロード選択
５９    ダウンロードファイル作成条件入力
６０    ファイルのダウンロード
【図１】
2006163958.tif 000003
【図２】
2006163958.tif 000004
【図３】
2006163958.tif 000005
【図４】
2006163958.tif 000006
【図５】
2006163958.tif 000007